(57)【要約】現在の画像状態から後続の画像状態への遷移において電気泳動ディスプレイのような双安定ディスプレイ（３１０）で画像が更新される。電圧波形（６００、６２０、６４０、６６０；７００、７２０、７４０、７６０）が現在の及び後続の画像状態並びに前の画像状態に基づいて選択される。双安定ディスプレイ（３１０）は、選択された電圧波形を用いて、現在の画像状態から後続の画像状態に駆動される。現在の画像状態から次の画像状態への所定の遷移のために、異なる波形が、異なる前の状態、例えば、黒色、濃い灰色、薄い灰色及び白色について記憶される。異なる波形は異なる駆動パルス（ＤＲ）又はリセットパルス（ＲＥ１、ＲＥ２）エネルギーを有することが可能である。試行錯誤的処理において、異なるリセットパルスエネルギー及び／又は駆動パルスエネルギーを有する異なる波形が、どの波形が最小の階調誤差をもたらすかを理解するために異なる前の画像状態について調べられる。
2007531000.tif 000002
【特許請求の範囲】
【請求項１】
現在の画像状態から後続の画像状態への遷移において双安定ディスプレイの少なくとも一部を更新するための方法であって：
前記現在の画像状態に先行する前の画像状態を規定するデータにアクセスする段階：
前記前の画像状態、前記現在の画像状態及び前記後続の画像状態にしたがって、少なくとも１つの電圧波形を規定するデータにアクセスする段階；並びに
前記現在の画像状態から前記少なくとも１つの電圧波形の少なくとも１つのリセットパルスを介して光学レール状態に、続いて、前記光学レール状態から前記少なくとも１つの電圧波形の駆動パルスを介して前記後続の画像状態に、前記双安定ディスプレイの前記少なくとも一部が駆動され、そして、前記少なくとも１つの電圧波形の少なくとも一部のエネルギーは前記前の画像状態に基づいて設定されるように、前記少なくとも１つの電圧波形にしたがって、前記現在の画像状態から前記後続の画像状態に前記双安定ディスプレイの少なくとも一部を駆動する段階；
を有する方法。
【請求項２】
請求項１に記載の方法であって：
エネルギーが前記前の画像状態に基づいて設定される前記少なくとも１つの電圧波形の前記少なくとも一部は前記少なくとも１つのリセットパルスを有する；
方法。
【請求項３】
請求項１に記載の方法であって：
エネルギーが前記前の画像状態に基づいて設定される前記少なくとも１つの電圧波形の前記少なくとも一部は前記駆動パルスを有する；
方法。
【請求項４】
請求項１に記載の方法であって：
前記駆動する段階は、前記双安定ディスプレイの前記少なくとも一部が前記現在の画像状態から前記少なくとも第１リセットパルスを介して前記光学レール状態に駆動されるように、前記双安定ディスプレイの前記少なくとも一部を駆動する段階であって、前記光学レール状態は前記後続の画像状態に最も近い光学レール状態である、段階を有する；
方法。
【請求項５】
請求項１に記載の方法であって：
前記少なくとも１つのリセットパルスは、前記双安定ディスプレイ内の帯電粒子が前記光学レール状態の一に対応する極限位置の一を同時に占めるようにする；
方法。
【請求項６】
請求項１に記載の方法であって：
前記の少なくとも１つの電圧波形を規定するデータにアクセスする段階は、前記現在の画像状態から前記後続の画像状態への遷移に関連する複数の有効な電圧波形を規定するデータから前記少なくとも１つの電圧波形を規定するデータにアクセスする段階を有し；そして
前記複数の有効な電圧波形の各々はそれぞれの異なる前の状態に関連する；
方法。
【請求項７】
請求項１に記載の方法であって：
前記の少なくとも１つの電圧波形を規定するデータにアクセスする段階は、前記現在の画像状態から前記後続の画像状態への遷移に関連する複数の有効な電圧波形を規定するデータから前記少なくとも１つの電圧波形を規定するデータにアクセスする段階を有し；そして
複数の有効な電圧波形の少なくとも１つは複数の異なる前の状態に関連する；
方法。
【請求項８】
請求項１に記載の方法であって：
前記駆動する段階は、前記少なくとも１つのリセットパルスに対して逆極性であり、前記少なくとも１つのリセットパルスに先行する更なるリセットパルスが、前記双安定ディスプレイの前記少なくとも一部に適用されるように、前記双安定ディスプレイの前記少なくとも一部を駆動する段階を有する；
方法。
【請求項９】
請求項１に記載の方法であって：
前記駆動する段階は、シェーキングパルスが前記双安定ディスプレイの前記少なくとも一部に適用されるように、前記双安定ディスプレイの前記少なくとも一部を駆動する段階を有する；
方法。
【請求項１０】
請求項９に記載の方法であって：
前記駆動する段階は、前記シェーキングパルスが前記少なくとも１つのリセットパルスと前記駆動パルスとの間の前記双安定ディスプレイの前記少なくとも一部に適用されるように、前記双安定ディスプレイの前記少なくとも一部を駆動する段階を有する；
方法。
【請求項１１】
請求項１に記載の方法であって：
前記少なくとも１つのリセットパルスは付加リセット持続時間を有する；
方法。
【請求項１２】
請求項１に記載の方法であって：
前記双安定ディスプレイは電気泳動ディスプレイである；
方法。
【請求項１３】
現在の画像状態から後続の画像状態への遷移において双安定ディスプレイの少なくとも一部を更新するための方法を実行するように機器により実行可能な指示のプログラムを具体的に実施するプログラム記憶装置であって、前記方法は：
前記現在の画像状態に先行する前の画像状態を規定するデータにアクセスする段階：
前記前の画像状態、前記現在の画像状態及び前記後続の画像状態にしたがって、少なくとも１つの電圧波形を規定するデータにアクセスする段階；並びに
前記現在の画像状態から前記少なくとも１つの電圧波形の少なくとも１つのリセットパルスを介して光学レール状態に、続いて、前記光学レール状態から前記少なくとも１つの電圧波形の駆動パルスを介して前記後続の画像状態に、前記双安定ディスプレイの前記少なくとも一部が駆動され、そして、前記少なくとも１つの電圧波形の少なくとも一部のエネルギーは前記前の画像状態に基づいて設定されるように、前記少なくとも１つの電圧波形にしたがって、前記現在の画像状態から前記後続の画像状態に前記双安定ディスプレイの少なくとも一部を駆動する段階；
を有する、プログラム記憶装置。
【請求項１４】
電子読書装置であって：
双安定ディスプレイ；並びに
（ａ）前記現在の画像状態に先行する前の画像状態を規定するデータにアクセスする段階と、（ｂ）前記前の画像状態、前記現在の画像状態及び前記後続の画像状態にしたがって、少なくとも１つの電圧波形を規定するデータにアクセスする段階と、（ｃ）前記現在の画像状態から前記少なくとも１つの電圧波形の少なくとも１つのリセットパルスを介して光学レール状態に、続いて、前記光学レール状態から前記少なくとも１つの電圧波形の駆動パルスを介して前記後続の画像状態に、前記双安定ディスプレイの前記少なくとも一部が駆動され、そして、前記少なくとも１つの電圧波形の少なくとも一部のエネルギーは前記前の画像状態に基づいて設定されるように、前記少なくとも１つの電圧波形にしたがって、前記現在の画像状態から前記後続の画像状態に前記双安定ディスプレイの少なくとも一部を駆動する段階と、により現在の画像状態から後続の画像状態への遷移において前記双安定ディスプレイの少なくとも一部を更新するための制御器；
を有する電子読書装置。
【請求項１５】
現在の画像状態から後続の画像状態への遷移において双安定ディスプレイの少なくとも一部を更新するために少なくとも１つの電圧波形を与える方法であって：
前記現在の画像状態から前記後続の画像状態への前記遷移を得るためにそれぞれ異なる電圧波形を与える段階であって、前記現在の画像状態は前の画像状態により先行される、段階；
前記前の画像状態から前記現在の画像状態に前記双安定ディスプレイの前記少なくとも一部を駆動するときにそれぞれの画像誤差を決め、そして、前記現在の画像状態から後続の画像状態に、それぞれ異なる電圧波形を用いる段階；及び
前記双安定ディスプレイの前記少なくとも一部が前記前の画像状態から前記現在の画像状態に駆動された後、前記現在の画像状態から前記後続する画像状態への前記双安定ディスプレイの前記少なくとも一部の駆動において続いて用いるために前記それぞれの画像誤差の最小に関連した前記それぞれ異なる電圧波形の一を選択する段階；
を有する方法。
【請求項１６】
請求項１５に記載の方法であって：
前記のそれぞれ異なる電圧波形を与える段階は、異なるエネルギーを有するリセットパルスを前記それぞれ異なる電圧波形に与える段階である；
方法。
【請求項１７】
請求項１５に記載の方法であって：
前記のそれぞれ異なる電圧波形を与える段階は、異なるエネルギーを有する駆動パルスを前記それぞれ異なる電圧波形に与える段階である；
方法。
【請求項１８】
請求項１５に記載の方法であって：
前記双安定ディスプレイは電気泳動ディスプレイである；
方法。
【請求項１９】
現在の画像状態から後続の画像状態への遷移において双安定ディスプレイの少なくとも一部を更新するために少なくとも１つの電圧波形を与えるための方法を実行するように機器により実行可能な指令のプログラムを具体的に実施するプログラム記憶装置であって、前記方法は：
前記現在の画像状態から前記後続の画像状態への前記遷移を得るためにそれぞれ異なる電圧波形を与える段階であって、前記現在の画像状態は前の画像状態により先行される、段階；
前記前の画像状態から前記現在の画像状態に前記双安定ディスプレイの前記少なくとも一部を駆動するときにそれぞれの画像誤差を決め、そして、前記現在の画像状態から後続の画像状態に、それぞれ異なる電圧波形を用いる段階；及び
前記双安定ディスプレイの前記少なくとも一部が前記前の画像状態から前記現在の画像状態に駆動された後、前記現在の画像状態から前記後続する画像状態への前記双安定ディスプレイの前記少なくとも一部の駆動において続いて用いるために前記それぞれの画像誤差の最小に関連した前記それぞれ異なる電圧波形の一を選択する段階；
を有する、プログラム記憶装置。
【請求項２０】
電子読書装置であって：
双安定ディスプレイ；及び
（ａ）前記現在の画像状態から前記後続の画像状態への前記遷移を得るためにそれぞれ異なる電圧波形を与える段階であって、前記現在の画像状態は前の画像状態により先行される、段階と、（ｂ）前記前の画像状態から前記現在の画像状態に前記双安定ディスプレイの前記少なくとも一部を駆動するときにそれぞれの画像誤差を決め、そして、前記現在の画像状態から後続の画像状態に、それぞれ異なる電圧波形を用いる段階と、（ｃ）前記双安定ディスプレイの前記少なくとも一部が前記前の画像状態から前記現在の画像状態に駆動された後、前記現在の画像状態から前記後続する画像状態への前記双安定ディスプレイの前記少なくとも一部の駆動において続いて用いるために前記それぞれの画像誤差の最小に関連した前記それぞれ異なる電圧波形の一を選択する段階と、により現在の画像状態から後続の画像状態への遷移において双安定ディスプレイの少なくとも一部を更新するために少なくとも１つの電圧波形を与えるための制御器であって、前記現在の画像状態は前の画像状態に先行される、制御器；
を有する、電子読書装置。
【発明の詳細な説明】
【技術分野】
【０００１】
本発明は、一般に、電子ブック及び電子新聞のような電子読書装置に関し、特に、ディスプレイの画像履歴にしたがって階調精度を改善している間に電気泳動ディスプレイのような双安定ディスプレイを駆動するための駆動波形のセットを与える方法及び装置に関する。
【背景技術】
【０００２】
近年の技術的進展は、多くの機会を開く電子ブックのような“ユーザフレンドリーな”電子読書装置を供給するようになった。例えば、電気泳動ディスプレイは非常に期待されている。そのようなディスプレイは固有のメモリ挙動を有し、電力消費を伴わずに比較的長時間、画像を維持できる。そのディスプレイがリフレッシュされる又は新しい情報により更新される必要があるとき、電力が消費される。それ故、そのようなディスプレイにおける消費電力は非常に小さく、電子ブック及び電子新聞のような携帯型電子読書装置のためのアプリケーションには適切である。電気泳動は、印加される電解中の帯電粒子の移動に関係する。電気泳動が液体中に生じるとき、粒子は、粒子による粘性抵抗、それら粒子の電荷（永久的又は誘起的）、液体の誘電特性及び印加電界の大きさにより主に決定される速度を伴って移動する。電気泳動ディスプレイは、一種の双安定ディスプレイであり、その双安定ディスプレイは、画像更新の後、電力消費を伴わずに実質的に画像を維持するディスプレイである。
【０００３】
例えば、米国マサチューセッツ州ケンブリッジ市Ｅ  Ｉｎｋ社により１９９９年４月９日に公開された“Ｆｕｌｌ  Ｃｏｌｏｒ  Ｒｅｆｌｅｃｔｉｖｅ  Ｄｉｓｐｌａｙ  Ｗｉｔｈ  Ｍｕｌｔｉｃｈｒｏｍａｔｉｃ  Ｓｕｂ−Ｐｉｘｅｌｓ”と題された国際公開第９９／５３３７３号パンフレットにおいては、そのような表示装置について開示されている。その国際公開第９９／５３３７３号パンフレットは２つの基板を有する電子インクディスプレイについて開示している。一の基板は透明であり、他の基板は行列状に配列された電極を備えている。表示要素又は画素覇業電極及び列電極の交差部分と関連付けられる。表示要素は薄膜トランジスタ（ＴＦＴ）を用いて列電極に結合され、そのＴＦＴのゲートは行電極に結合されている。表示要素、ＴＦＴトランジスタ及び行列電極のこのような構成は共に、アクティブマトリクスを形成する。更に、表示要素は画素電極を有する。行ドライバは表示要素の行を選択し、列又はソースドライバは列電極及びＴＦＴトランジスタを介して表示要素の選択された行にデータ信号を供給する。データ信号は、表示されるテキスト又は図のようなグラフィックデータに対応する。
【０００４】
電子インクは、透明基板上の画素電極と共通電極との間に備えられている。電子インクは、半径が約１０乃至５０μｍの複数のマイクロカプセルを有する。一方法においては、各々のマイクロカプセルは、液体担体媒体又は流体中に分散された正に帯電した白色粒子及び負に帯電した黒色粒子を有する。正電圧が画素電極に印加されるとき、白色粒子は透明基板の方に向いているマイクロカプセルの側に移動し、ビューアには白色の表示要素がみえる。印加電圧と印加電圧の時間の持続時間との積は駆動信号のエネルギーとして定義される。同時に、黒色粒子はマイクロカプセルの反対側の画素電極の方に移動し、その場合、それらはビューアからは隠されていてみえない。画素電極に負電圧を印加することにより、黒色粒子は透明基板の方に向いたマイクロカプセルの側の共通電極の方に移動し、表示要素はビューアには暗くみえる。同時に、白色粒子はマイクロカプセルの反対側の画素電極の方に移動し、その場合、それらはビューアからは隠されていてみえない。電圧が除去されるとき、表示装置映えられた状態のまま維持され、それ故、双安定特性を示す。他の方法においては、粒子は着色液体中に備えられている。例えば、黒色粒子は白色液体中に備えられている、又は、白色粒子は黒色液体中に備えられている。又は、他の着色粒子箱となる着色液体中に備えられ、例えば、白色粒子は青色液体中に備えられることが可能である。
【０００５】
空気のような他の流体がまた、帯電された黒色及び白色粒子が電界中を動き回る媒体中で用いられることが可能である（例えば、文献ＳＩＤ２００３−Ｓｙｍｐｏｓｉｕｍ  ｏｎ  Ｉｎｆｏｒｍａｔｉｏｎ  Ｄｉｓｐｌａｙｓ，Ｍａｙ  １８―２３，２００３，ｄｉｇｅｓｔ２０．３（Ｂｒｉｄｇｅｓｔｏｎｅ社）参照）。着色粒子をまた、用いることが可能である。
【０００６】
電子ディスプレイを構成するように、電子インクが、回路の層に積層されるプラスチックフィルムのシート上に印刷されることが可能である。その回路は、そのとき、ディスプレイドライバにより制御される画素のパターンを構成している。マイクロカプセルは液体担体媒体中に分散されているため、それらは、ガラス、プラススチック及び紙さえ有する何れの表面に実際的には既存のスクリーン印刷処理を用いて印刷されることが可能である。更に、フレキシブルなシートを使用することにより、従来のブックの概観に似た電子読書装置のデザインが可能になる。
【０００７】
しかしながら、許容可能な画像更新時間を維持しながら階調精度を改善するための技術が必要とされている。
【特許文献１】国際公開第９９／５３３７３号パンフレット
【非特許文献１】ＳＩＤ２００３−Ｓｙｍｐｏｓｉｕｍ  ｏｎ  Ｉｎｆｏｒｍａｔｉｏｎ  Ｄｉｓｐｌａｙｓ，Ｍａｙ  １８―２３，２００３，ｄｉｇｅｓｔ２０．３
【発明の開示】
【発明が解決しようとする課題】
【０００８】
本発明は、ディスプレイの画像履歴を明らかにすることにより電気泳動ディスプレイのような双安定ディスプレイを駆動するための駆動波形の集合を与えるための方法及び装置を提供することにより上記課題及び他の課題に対処することができる。  
【課題を解決するための手段】
【０００９】
本発明の特定の特徴においては、現在の画像状態から後続の画像状態への遷移において双安定画像の少なくとも一部を更新するための方法が提供される。その方法は、（ａ）現在の画像状態に先行する前の画像状態を規定するデータにアクセスする段階と、（ｂ）前の画像状態、現在の画像状態及び後続の画像状態にしたがって少なくとも１つの電圧波形を規定するデータにアクセスする段階と、（ｃ）双安定ディスプレイの少なくとも一部が、現在の画像状態から少なくとも１つの電圧波形の少なくとも１つのリセットパルスを介して光学レール状態に、続いて、光学レール状態から少なくとも１つの電圧波形の駆動パルスを介して後続の画像状態に駆動され、少なくとも１つの電圧波形の少なくとも一部のエネルギーが前の画像状態に基づいて設定されるように、少なくとも１つの電圧波形にしたがって現在の画像状態から後続の画像状態に双安定ディスプレイの少なくとも一部を駆動する段階と、を有する。
【００１０】
本発明の他の特徴においては、方法は、現在の画像状態から後続の画像状態への遷移において双安定ディスプレイの少なくとも一部を更新するための少なくとも１つの電圧波形を提供する。その方法は、（ａ）現在の画像状態から後続の画像状態への遷移を達成するためにそれぞれ異なる電圧波形を与える段階であって、その現在の画像状態は前の画像状態により先行される、段階と、（ｂ）前の画像状態から現在の画像状態に双安定ディスプレイの少なくとも一部を駆動し、現在の画像状態から後続の画像状態にそれぞれ異なる電圧波形を用いるとき、それぞれの画像エラーを決定する段階と、（ｃ）双安定ディスプレイの少なくとも一部が前の画像状態から現在の画像状態に駆動された後、現在の画像状態から後続の画像状態への双安定ディスプレイの少なくとも一部の駆動で続いて用いるためにそれぞれの画像エラーの最小に関連付けられるそれぞれの異なる電圧波形の一を選択する段階と、を有する。
【００１１】
関連する電子読書装置及びプログラム記憶装置がまた提供される。
【００１２】
図の全てにおいて、対応する部分は同じ参照番号で表わされている。
【００１３】
次の特許文献の各々の援用により、本発明の説明の一部を代替する。
【００１４】
それらは、“Ｅｌｅｃｔｒｏｐｈｏｒｅｔｉｃ  Ｄｉｓｐｌａｙ  Ｐａｎｅｌ”と題され、２００２年９月１６日に出願された欧州特許第０２０７８８２３．８号明細書、“Ｅｌｅｃｔｒｏｐｈｏｒｅｔｉｃ  Ｄｉｓｐｌａｙ  Ｐａｎｅｌ”と題され、２００２年１０月１０日に出願された欧州特許第０２０７９２０３．２号明細書、“Ｅｌｅｃｔｒｏｐｈｏｒｅｔｉｃ  Ｄｉｓｐｌａｙ  Ｐａｎｅｌ”と題され、２００３年１月２３日に出願された欧州特許第０３１００１３３．２号明細書、“Ｄｉｓｐｌａｙ  Ｄｅｖｉｃｅ”と題され、２００２年５月２４日に出願された欧州特許第０２０７７０１７．８号明細書、“Ｅｌｅｃｔｒｏｐｈｏｒｅｔｉｃ  Ａｃｔｉｖｅ  Ｍａｔｒｉｘ  Ｄｉｓｐｌａｙ  Ｄｅｖｉｃｅ”と題され、２００３年２月６日に公開された国際公開第０３／０７９３２３号パンフレット又は“Ｅｌｅｃｔｒｏｐｈｏｒｅｔｉｃ  Ｄｉｓｐｌａｙ  Ｕｎｉｔ”と題され、２００３年６月１１日に出願された欧州特許第０３１０１７０５．６号明細書である。
【発明を実施するための最良の形態】
【００１５】
図１及び２は、第１基板８と、対向する第２基板９と、複数のピクチャ要素２とを有する電子読書装置のディスプレイパネル１の一部の実施形態を示している。ピクチャ要素２は、実質的に直線に沿って二次元構造に配列されている。ピクチャ要素２は、明確化のために互いから距離を置いて示されているが、実際には、ピクチャ要素２は、連続画像を形成するように互いに非常に接近している。更に、フルディスプレイスクリーンの一部のみが示されている。ハニカム配列のような他のピクチャ要素の配列が可能である。帯電粒子６を有する電気泳動媒体５が基板８及び９間に存在する。第１電極３及び第２電極４は各々のピクチャ要素２と関連付けられている。電極３及び４は電位差を受けることができる。図２においては、各々のピクチャ要素２について、第１基板は第１電極３を有し、第２基板９は第２電極４を有する。帯電粒子６は、電極３、４近傍の極限位置又は電極３、４間の中間位置を占めることができる。各々のピクチャ要素２は、電極３、４間の帯電粒子の位置により決定される外観を有する。電気泳動媒体５自体については、米国特許第５，９６１，８０４号明細書、米国特許第６，１２０，８３９号明細書及び米国特許第６，１３０，７７４号明細書により知られていて、電気泳動媒体５は、例えば、Ｅ  Ｉｎｋ社製のものがある。
【００１６】
例としては、電気泳動媒体５は、白色流体中に負に帯電した黒色粒子６を有することが可能である。帯電粒子６が、例えば、＋１５Ｖの電位差により第１電極の近傍にあるとき、ピクチャ要素２の外観は白色である。帯電粒子６が、逆極性、例えば、−１５Ｖの電位差により第２電極４近傍にあるとき、ピクチャ要素２の外観は黒色である。帯電粒子６が電極３及び４の間にあるとき、ピクチャ要素は黒色と白色との間の階調のような中間的な外観を有する。特定用途向け集積回路（ＡＳＩＣ）１００は、フルディスプレイスクリーンにおいて、所望のピクチャ、例えば、画像及び／又はテキストを生成するように、各々のピクチャ要素２の電位差を制御する。フルディスプレイスクリーンは、ディスプレイにおける画素に対応する複数のピクチャ要素から成る。
【００１７】
図３は、電子読書装置の概観を示している。電子読書装置３００はディスプレイＡＳＩＣ１００を有する。例えば、ＡＳＩＣ１００は、Ｐｈｉｌｉｐｓ  Ｃｏｒｐ．製の“Ａｐｏｌｌｏ”ＡＳＩＣ  Ｅ−ｉｎｋ  ｄｉｓｐｌａｙ  ｃｏｎｔｒｏｌｌｅｒであることが可能である。ディスプレイＡＳＩＣ１００は、所望のテキスト又は画像が表示されるようにするように、アドレス回路３０５により電気泳動スクリーンのような１つ又はそれ以上のディスプレイスクリーン３１０を制御する。アドレス回路３０５は駆動集積回路（ＩＣ）を有する。例えば、ディスプレイＡＳＩＣ１００は、ディスプレイ回路３１０の異なる画素に、アドレス回路を介して電圧波形を供給する電圧ソースとして機能することが可能である。アドレス回路３０５は、所望の画像又はでキストが表示されるようにするように、行列のような特定の画素をアドレス指定するための情報を供給する。ディスプレイＡＳＩＣ１００は、異なる行及び／列で開始して、連続的なページが表示されるようにする。画像又はテキストデータはメモリ３２０に記憶されることが可能であり、そのメモリは１つ又はそれ以上の記憶装置を意味し、必要に応じて、ＡＳＩＣ１００によりアクセスされる。一例は、Ｐｈｉｌｉｐｓ  Ｅｌｅｃｔｒｏｎｉｃｓ社製のＳｓｍａｌｌ  ｆｏｒｍ  ｆａｃｔｏｒ  ｏｐｔｉｃａｌ（ＳＦＦＯ）ディスクシステムであり、他のシステムにおいては、不揮発性フラッシュメモリを用いることが可能である。電子読書装置３００は、読書装置制御器３３０又はホスト制御器を更に有し、それらは、次のページコマンド又は前のページコマンドのようなユーザコマンドを開始する、ユーザにより活性化されるソフトウェア又はハードウェアボタン３２２に対して応答することが可能である。
【００１８】
読書装置制御器３３０は、ここで説明する機能を達成するように、例えば、ソフトウェア、ファームウェア、マイクロコード等のような何れの種類のコンピュータコード装置を実行することが可能であるコンピュータの一部であることが可能である。したがって、そのようなコンピュータコード装置を有するコンピュータプログラムプロダクトが、当業者には明らかである方式で備えられることが可能である。読書装置制御器３３０は、ここで説明する機能を達成する方法を実行するように、読書装置制御器３３０又はコンピュータのような機器により実行可能な指示のプログラムを具体的に実施するプログラム記憶装置であるメモリ（図示せず）を更に有することが可能である。そのようなプログラム記憶装置は、当業者に明らかである方式で備えられることが可能である。
【００１９】
ディスプレイＡＳＩＣ１００は、例えば、ｘページ毎に表示された後、ｙ分毎、例えば、１０分毎の後、電子読書装置３００が最初にオンにされたとき、及び／又は、輝度変動が、例えば、３％の反射のような値より大きいときに、電子ブックの表示領域の強制リセットを周期的に与えるためのロジックを有することが可能である。自動リセットのために、許容可能周波数は、許容可能画像品質を得ることができる最も低い周波数に基づいて経験的に決定される。また、リセットは、例えば、ユーザが電子読書装置を読み始めるとき、又は画像品質が許容できないレベルに低下したときに、機能ボタン又は他のインターフェース装置を介してユーザによる手動操作で開始される。
【００２０】
ＡＳＩＣ１００は、メモリ３２０に記憶されている情報にアクセスすることによりディスプレイ３１０を駆動するためのディスプレイアドレス回路３０５に指令を与える。
【００２１】
本発明は、何れの種類の電子読書装置と共に用いられることが可能である。図４は、２つの別個のディスプレイスクリーンを有する電子読書装置４００の１つの可能な実施例を示している。具体的には、第１ディスプレイ領域４４２が第１スクリーン４４０に備えられ、第２ディスプレイ領域４５２が第２スクリーン４５０に備えられている。それらのスクリーン４４０及び４５０は、それらのスクリーンが互いに対して折り畳まれる又は開かれる及び面上に平らに置かれることを可能にする。この構成は、従来の本を読む経験を厳密に踏襲するためには、好ましい。
【００２２】
種々のユーザインターフェース装置が、ユーザがページ送りコマンド、ページ戻しコマンド等を開始することを可能にするように、備えられることが可能である。例えば、第１領域４４２は、電子読書装置のページ間を検索するように、マウス又は他のポインティング装置、タッチ活性化部、ＰＤＡ装置又は他の既知の技術を用いて、活性化されることが可能である。ページ送りコマンド及びページ戻しコマンドに加えて、同じページ内を上又は下にスクロールする能力を備えることが可能である。ハードウェアボタン４２２は、ユーザがページ送りコマンド及びページ戻しコマンドを備えることを可能にするように、代替的に又は付加的に備えられることが可能である。第２領域４５２はまた、オンスクリーンボタン４１４及び／又はハードウェアボタン４１２を有することが可能である。第１及び第２ディスプレイ領域４４２、４５２の周りのフレームは、それらのディスプレイ領域がフレームレスであることが可能であるため、必要でないことに留意されたい。例えば、音声コマンドインターフェースのような他のインターフェースを、同様に用いることが可能である。ボタン４１２及び４１４、４２２及び４２４が両方のディスプレイ領域に必要ないことに留意されたい。即ち、ページ送りボタン及びページ戻しボタンの単一セットを備えることが可能である。又は、ページ送りコマンド及びページ戻しコマンドの両方を備えるように、ロッカースイッチのような単一ボタン又は他の装置を作動させることが可能である。機能ボタン又は他のインターフェース装置がまた、ユーザが手動でリセットを開始することを可能にするように、備えられることが可能である。
【００２３】
他の有効なデザインにおいては、電子ブックは、一度に１ページを表示する単一表示領域を有する単一ディスプレイスクリーンを有する。又は、単一ディスプレイスクリーンは、例えば、横方向又は縦方向に、分割される又は２つ又はそれ以上の領域に構成されることが可能である。更に、複数の表示領域が用いられるとき、何れの所望の順序で、連続的にページを表示することが可能である。例えば、図４においては、第１ページがディスプレイ領域４４２に表示されることが可能である一方、第２ページがディスプレイ領域４５２に表示されることが可能である。ユーザが、次のページを見ることを要求するとき、第３ページが、第１ページに代わって表示されることが可能である一方、第２ページは、第２表示領域４５２に表示されたままである。同様に、第４ページが第２表示領域４５２に表示されることが可能である、等である。他の方法においては、ユーザが次のページを見ることを要求するとき、第３ページが第１ページに代わって第１表示領域４４２に表示され且つ第４ページが第２ページに代わって第２表示領域４５２に表示されるように、両方の表示領域が更新される。単一表示領域が用いられるとき、第１ページが表示され、次いで、ユーザが次ページコマンドを入力するとき、第２ページが第１ページに上書きされる等、なされる。その処理は、ページ戻しコマンドに対して逆に作用する。更に、テキストが行方向でなく列方向に読まれる中国語のような言語及び、テキストが右から左に読まれるヘブライ語のような言語に対して、同様に適用可能である。
【００２４】
更に、全体のページが表示領域に表示される必要がないことに留意されたい。ページの一部が表示され、ページの他の部分を読むために上、下、左又は右にユーザが、スクロールすることを可能にするように、スクロール能力が備えられることが可能である。テキスト又は画像のサイズをユーザが変えられるように、拡大及び縮小能力が備えられることが可能である。このことは、例えば、縮小バージョンを使うユーザにとって望ましいことである。
【００２５】
対処される課題
電気泳動ディスプレイのような双安定ディスプレイの研究開発における主な課題の１つは適切な階調を得ることであり、その適切な階調は特定の時間期間に対して電圧パルスを適用することにより、一般に生成される。電気泳動ディスプレイのような双安定ディスプレイにおける階調精度は、画像履歴、滞留時間、温度、湿度、電気泳動フォイルの横方向不均一性等の因子により大きく影響される。最近、高精度の階調はレール安定化方法を用いて得られることが示された。この方法においては、階調は、常に、基準黒色状態又は基準白色状態（２つのレール）のどちらかから得られる。上記の欧州特許第０２０７９０２０３．２に記載されている一方法は最近傍レール駆動法（ｃｌｏｓｅｓｔ  ｒａｉｌ  ｄｒｉｖｉｎｇ）であり、その方法において、リセットパルスは最近傍レール、例えば、白色又は黒色の極限光学状態の一に対する表示を駆動する。他の方法は周期的レール安定化駆動法（ｃｙｃｌｉｃ  ｒａｉｌ  ｓｔａｂｉｌｉｚｅｄ  ｄｒｉｖｉｎｇ）であり、その方法において、ディスプレイは、周期的パターンにしたがって、２つのレールの一に駆動される。
【００２６】
更に、単一のオーバーリセット電圧パルスを用いる駆動技術は、上記の欧州特許第０３１００１３３．２号明細書に記載されているように、電気泳動ディスプレイを駆動するために最も見込みがあると認められてきた。この技術においては、パルスシーケンスは、通常、３つの部分、即ち、シェーキングパルス（ＳＨ１）、（オーバー）リセットパルス及び階調駆動パルスを有する。更に除去し且つ画像品質を改善するために、リセットパルスと階調駆動パルスとの間にシェーキングパルス（ＳＨ２）の第２集合を適用することは、ときどき好ましい。
【００２７】
この技術は、濃い灰色（ＤＧ）から白色（Ｗ）レールを介して薄い灰色（ＬＧ）への画像遷移について、図５（ｂ）及び図５（ｃ）に模式的に示されている。特に、波形５００は、第１シェーキングパルス（Ｓ１）、リセットパルス（Ｒ）及び駆動パルス（Ｄ）を用いる濃い灰色（ＤＧ）から薄い灰色（ＬＧ）への画像遷移についての例示としての波形である。レール安定化駆動が用いられている。波形５５０は、付加的に、第２シェーキングパルスを用いる。全画像更新時間（ＩＵＴ）は、波形の各々の位置で用いられる時間期間の合計である。リセットパルス（Ｒ）（ｔ１とｔ２との間の時間期間）は、古い画像が新しい画像への更新中に消去されて、画像品質が保証されることを確実にするように、初期状態、例えば濃い灰色位置から、レール状態、例えば白色状態に粒子を移動させるために必要な最短時間（ｔ１とｔ′２との間の時間期間）より長い。シェーキングパルス（Ｓ１）は滞留時間及び画像履歴の影響を低減するために有用であり、それにより、画像残像を低減し、階調精度を向上させる。駆動パルス（Ｄ）は、レール状態、例えば白色状態から、最終的な光学状態、例えば薄い灰色状態への表示に粒子を駆動することにより階調の色調を付加するために用いられる。
【００２８】
画像品質は、オーバーリセット時間、例えば、ｔ２′とｔ２との間の時間期間を増加させることにより大きく改善されることが可能である。しかし、ＩＵＴがまた、増加する。電子ブックのような電子読書装置については、ＩＵＴは、満足のいくユーザの経験を確実にするように、１秒又は特定化された他の制限以内に制限されることが可能である。実験においては、９００ｍｓｅｃのＩＵＴが、約２．５−３Ｌ＊の階調精度により示されるように、許容可能な画像品質を伴って実現され、ここで、Ｌ＊は輝度であり、それは式Ｌ＊＝１１６＊（Ｒ／１００）＾（１／３）−１６による反射率（Ｒ）に関係している。しかしながら、階調精度は、達成されるべき大きい階調レベル数、例えば、１６階調レベルについて大きく改善される必要がある。
【００２９】
提案される解決方法
本発明は、例えば、少なくとも４ビット階調を有する、例えば、２４＝６４階調レベルを有する電気泳動ディスプレイのような双安定ディスプレイについてのロバストな駆動方法を提供している。一般に、階調精度は、階調レベルがはっきりと現れるように十分である必要がある。その階調精度が不十分である場合、階調レベルは互いに重なり合う。シェーキングパルス、オーバーリセットパルス及び階調駆動パルスを有する電圧波形が、ディスプレイを駆動するために用いられ、そして、各々の画素については、少なくとも１つの先行する光学状態が次の画像更新のための波形の選択において考慮される。これは、現在の画像から次の又は他の後続の画像への画像遷移のための波形は、次の又は他の後続状態、現在の状態及び少なくとも１つの先行する光学状態により決定されることを意味する。この方法が実施される実験においては、先行する光学状態が考慮されるとき、階調精度は著しく向上し、６４階調レベルを得る実現可能性に繋がる。更に、本発明は、必要なメモリを備え且つ電子読書装置内の資源を処理することにより、過度の負担を伴うことなく実施されることが可能である。例えば、画像メモリがディスプレイ制御器１００（図３）に加えられ、対応するデータ処理は、アドレス回路又はホスト制御器３３０において実行されることが可能である。メモリ３２０はまた、種々の画像履歴と共にＬＵＴを含む遷移マトリクスを記憶するために用いられることが可能である。
【００３０】
次の画像データがロードされるとき、画素の現在の光学状態及び前の光学状態にしたがって、波形が選択される。それらの光学状態は画像メモリに記憶される。次の画像更新が終了した後、画像メモリはリフレッシュされる。古い“前の”光学状態は画像メモリから除去され、古い“現在の”光学状態は、更なる新しい画像更新で用いられる前の状態として画像メモリに加えられる。この処理は、更なる後続の画像更新において繰り返される。
【００３１】
波形５００及び５５０は、１つの有効な方法において表示／画素を駆動するための基本電圧波形プラットフォームとして用いられることが可能である。しかしながら、本発明は、一般に、何れの波形と共に使用するために適合可能である。例えば、波形の集合において、リセットパルスは、全ての波形により駆動される粒子が光学レール状態の一に対応する極限位置の一を同時に占めるようにする。一般に、これは、駆動パルスの適用前の期間内に起こり、その結果、後続の画像の１ビット表現が得られる。駆動パルスは、その後、自然に必要な階調レベルを導入する。
【００３２】
上記のように、画像品質はオーバーリセット時間（ｔ′２とｔ２との間の時間期間）を拡大することにより大きく改善されることが可能であり、このことは、拡大されたＩＵＴが受け入れられない程長くなるため、特定点で実際的でなくなり得る。ここで、本発明者は、波形が次の画像更新のために選択されるとき、各々の画素について少なくとも１つの前の光学状態を考慮することを提案する。ここでは、現在の画像から次の画像への画像更新のための波形は、次の光学状態、現在の光学状態及び前の光学状態により決定される。このことは、下で模式的に示されている。Ｗ１、Ｗ２、Ｗ３及びＷ４は異なる波形を表している。
【００３３】
前の状態 現在の状態 次の状態 波形
Ｂ                ＤＧ                ＬＧ            Ｗ１
ＤＧ              ＤＧ                ＬＧ            Ｗ２
ＬＧ              ＤＧ                ＬＧ            Ｗ３
Ｗ                ＤＧ                ＬＧ            Ｗ４
上の表は、４つの有効な前の状態を用いて、現在の画像状態から次の画像状態への画像遷移のための画素についての小さい例示としての遷移マトリクスである。与えられた例においては、現在の状態は濃い灰色であり、次の状態は薄い灰色である。４つの有効な前の状態は、黒色、濃い灰色、薄い灰色及び白色である。更に、現在の例においては、１つの前の状態のみが、４つの有効な階調レベルを有する各々の画素について考慮される。しかしながら、そのマトリクスは、他の画像遷移と共に用いるために適合されることが可能である。新しい画像における各々の画像更新要求に対して、電圧波形がディスプレイの少なくとも１つの画素に適用され、電圧波形は少なくとも１つの前の光学状態の関数である。
【００３４】
特に、上の表は、各々の有効な画像遷移及び各々の前の画像状態を説明するための大きいものとなっている。例えば、２ビットの階調を用いる場合、１６の有効な遷移が存在する。各々の遷移について４つの有効な前の画像状態を有する場合、６４個の有効な波形を必要とする。しかしながら、このことは、メモリ容量における不所望の増加を必要とする。したがって、本発明の更なる特徴においては、その必要とされるメモリ容量は、１つ前の状態のみではなく、異なる数、異なる状態を有する特定の波形を関係付けることにより低減されることが可能である。例えば、前の状態Ｂ又はＤＧについてには一の波形が用いられる一方、前の状態ＬＧ又はＷについてには他の波形が用いられる。これについては、下の表で説明する。
【００３５】
前の状態 現在の状態 次の状態 波形
Ｂ                ＤＧ                ＬＧ            Ｗ１
ＤＧ              ＤＧ                ＬＧ            Ｗ１
ＬＧ              ＤＧ                ＬＧ            Ｗ２
Ｗ                ＤＧ                ＬＧ            Ｗ２
１６個の前の状態が存在する場合、個別の波形は、例えば、白色に近い、薄い灰色に近い、濃い灰色に近い及び黒色に近い前の状態に対して用いられることが可能である。
【００３６】
下では、濃い灰色から薄い灰色への画像遷移（図６）及び黒色から白色への画像遷移（図７）について例示としての波形が示されている。他の遷移のための波形を、同様に与えることが可能である。本発明を説明するために、パルス幅変調（ＰＷＭ）駆動を用いることが可能であるが、他の駆動スキームを用いることも可能である。例えば、最近傍レール及び／又はオーバーリセットパルスを用いる駆動スキームを用いることが可能である。
【００３７】
図６は、濃い灰色から薄い灰色への画像遷移のための例示としての波形を示していて、ここでは、前の状態は、黒色、濃い灰色、薄い灰色又は白色である。それらの波形においては、時間（ｔ）の関数として電圧レベル（Ｖ）がプロットされて示されている。例えば、−１５Ｖ、０Ｖ及び＋１５Ｖの電圧レベルを用いることが可能である。波形６００、６２０、６４０及び６６０のそれぞれにおける前の状態、即ち、黒色、濃い灰色、薄い灰色又は白色と現在の状態、即ち、濃い灰色とについてのＤＧからＬＧへの遷移が示されている。Ｓ１はシェーキングパルスを示している。ＲＥ１は第１リセットパルスを示している。一部の場合、図７に関連して説明されるように、ＲＥ１に対して逆極性の第２リセットパルスＲＥ２が用いられることが可能である。ＳＷは、リセットパルスＲＥ１を介して到達するレール状態としての実質的な白色状態を示している。
【００３８】
図６における波形は、駆動パルス（ＤＲ）の持続時間／エネルギー以外は同様である。波形６００の駆動パルスは、時間ｔｘとｔｙとの間で広げられる。波形６２０の駆動パルスは波形６００のそれと比べて幾らか短く、波形６４０及び６６０の駆動パルス波形６００のそれに比べて幾らか長い。図６の濃い灰色から薄い灰色への遷移のためのリセットパルス持続時間及び駆動パルス持続時間については、次のように要約することができる。
【００３９】
前の状態 パルスの種類 持続時間（ｍｓｅｃ）              Ｂ、ＤＧ、ＬＧ、Ｗ          ＲＥ２              ０
Ｂ、ＤＧ、ＬＧ、Ｗ          ＲＥ１              ２７５
Ｂ                          ＤＲ                ８０
ＤＧ                        ＤＲ                ６５
ＬＧ                        ＤＲ                ９２
Ｗ                          ＤＲ                ９０
一般に、前の状態の影響は、インパルスエネルギーを変化させることにより補償されることができ、そのインパルスエネルギーは、ＰＷＭ駆動が用いられるときのパルス時間、及び／又はパルス形状、例えば、双極性パルス又は単一（単）極性パルス形状である。そのパルス形状は、例えば、可変振幅を有することが可能であり、ＰＷＭは一定の振幅を用いる。図６においては、駆動パルスの持続時間は前の光学状態に基づいて変化されている。前の光学状態と駆動パルス（Ｄ）の持続時間との間の関係は単純な表現で表現されることができない。しかしながら、階調誤差については、異なる駆動及びリセットパルス持続時間並びに／若しくはエネルギーと共に用いる種々の試行について測定されることが可能である。最も小さい誤差をもたらす駆動及びリセットパルス持続時間を有する波形は、それ故、最適であるとして選択される。図６の波形は、濃い灰色から薄い灰色への遷移についての最適な波形の例である。
【００４０】
一旦、異なる前の状態を有する同じ画像遷移についての異なる最適な波形が実験的に予め決定されると、それらの波形について、マトリクス／ルックアップテーブル（ＬＵＴ）の形式で記憶される。適切な波形は、それ故、ディスプレイにおける各々の画素の前の状態、現在の状態及び次の状態にしたがって続く更新において選択される。
【００４１】
図７は、黒色から白色への画像遷移についての例示としての波形を示し、ここでは、前の状態は黒色、濃い灰色、薄い灰色又は白色である。ＢからＷへの遷移が、波形７００、７２０、７４０及び７６０のそれぞれにおける前の状態、黒色、濃い灰色、薄い灰色又は白色について示されている。Ｂ／Ｂ、ＤＧ／Ｂ、ＬＧ／Ｂ及びＷ／Ｂは、前の状態、黒色、濃い灰色、薄い灰色又は白色のそれぞれ、及び現在の状態は黒色を表している。Ｓ１はシェーキングパルスを表している。ＲＥ１及びＲＥ２は第１及び第２リセットパルスのそれぞれを表している。
【００４２】
それらの波形は、波形７４０及び７６０が第２リセットパルス（ＲＥ２）を有する一方、波形７００及び７２０はそれを有していない点で異なっている。第２リセットパルス（ＲＥ２）の目的は、Ｂ又はＤＧのような他の前の状態から到達した状態に類似する構成にディスプレイ装置における粒子の構成をもたらすことである。更に、第１リセットパルス（ＲＥ１）の持続時間は、波形７４０及び７６０については、同じ又は略同じであるが、波形７００及び７２０については異なる。
【００４３】
図６の波形と同様に、前の光学状態と図７における駆動パルス（Ｄ）又はリセットパルス（ＲＥ１、ＲＥ２）の持続時間との間の関係については単純な表現で表現することができない。しかしながら、階調誤差が、異なる駆動パルス持続時間及び／又はエネルギー並びに異なるリセットパルス持続時間及び／又はエネルギーを用いてなされる種々の試行について測定されることが可能である。最小誤差をもたらす駆動パルス持続時間及び／又はエネルギーを有する波形は、それ故、最適であるとして選択される。図７の黒色から白色への遷移についてのリセットパルス持続時間及び駆動パルス持続時間については、次のようにまとめられる。
【００４４】
前の状態 パルスの種類 持続時間（ｍｓｅｃ） 
Ｂ、ＤＧ          ＲＥ２              ０
ＬＧ、Ｗ          ＲＥ１              ５０
Ｂ                ＲＥ１              −４００
ＤＧ              ＲＥ１              −３８０
ＬＧ              ＲＥ１              −４２０
Ｗ                ＲＥ１              −４２０
類似する波形が他の遷移について形成されることが可能である。例えば、黒色から濃い灰色への遷移についてのリセットパルス持続時間及び駆動パルス持続時間については、次のようにまとめられる。
【００４５】
前の状態 パルスの種類 持続時間（ｍｓｅｃ）              Ｂ、ＤＧ、ＬＧ、Ｗ        ＲＥ２              ０
Ｂ、ＤＧ、Ｗ              ＲＥ１              ４０
ＬＧ                      ＲＥ１              ２０
Ｂ                        ＤＲ                −１３０
ＤＧ                      ＤＲ                −１２５
ＬＧ、Ｗ                  ＤＲ                −１４０
白色から薄い灰色への遷移についてのリセットパルス持続時間及び駆動パルス持続時間については、次のようにまとめられる。
【００４６】
前の状態 パルスの種類 持続時間（ｍｓｅｃ）              Ｂ、ＤＧ、ＬＧ、Ｗ        ＲＥ２              ０
Ｂ、ＤＧ、ＬＧ、Ｗ        ＲＥ１              ０
Ｂ                        ＤＲ                ５５
ＤＧ                      ＤＲ                ６５
ＬＧ                      ＤＲ                ５５
Ｗ                        ＤＲ                ５０
更なるシェーキングパルスのセットが、ＲＥ２又はＤＲ中、ＲＥ１とＲＥ２との間又はＲＥ１とＤＲとの間に適用されることが可能である（図６及び７参照）ことにまた、留意されたい。更に、異なるパルス間の時間間隔がゼロと同じであるように短いことが可能である。
【００４７】
図８（ａ）は、画像履歴が明らかにされないときの階調レベルの精度を表すヒストグラムを示している。図８（ｂ）は、本発明にしたがった、画像履歴が明らかにされたときの階調レベルの精度を表すヒストグラムを示している。代表的な実験結果を図５（ｂ）の波形を用いて示している。それらのヒストグラムは、電気泳動ディスプレイパネルで測定された４つの異なる階調レベルである。カウント数は縦軸に示され、反射率範囲（Ｌ＊）は横軸に示されている。４つの階調レベルが生成され、それらの階調レベルは、実際の暗い状態及び／又は実際の白色状態とは合理的にかなり異なっている。最も暗い状態の輝度は約２２Ｌ＊であり、最も白い状態は約６５Ｌ＊である。ヒストグラムの幅は階調誤差に比例する。それ故、より狭いヒストグラムはより小さい誤差を意味する。それらの４つの階調レベルは、±１．３Ｌ＊の最大分布／誤差を有して互いにはっきりと分離されている（図８（ｂ））。更に、図８（ａ）は約９００ｍｓｅｃのＩＵＴを伴って得られる一方、図８（ｂ）は改善された約７００ｍｓｅｃのＩＵＴを伴って得られる。それ故、本発明により、適切な品質及び短いＩＵＴが達成ｓれる。それらの結果は、６４個の階調レベルが、１秒以下のＩＵＴを伴って、本発明を用いて得られる。
【００４８】
図９は、画像メモリ及び対応するデータ処理を有するディスプレイ制御器の例示としての模式図である。ブロック９００は、環境の温度を測定する温度センサである。ブロック９１０は、異なる波形を記憶する画像メモリを有する制御器であり、所望の光学遷移のためにどの波形を用いるべきかを決定する。データ入力は、表示されるべき所望の画像を表す。ブロック９２０は、所望の光学遷移を得るように適切な波形Ｗを選択することを含むデータ処理を表している。データ処理ブロック９２０は、ブロック９２０に向けられた矢印により示されたデータ入力によりデータにアクセスすることを有する。アクセスされたデータは、特定の波形の選択で用いるために、前の光学状態、現在の光学状態及び後続の光学状態を特定する。ブロック９３０はディスプレイであり、そのディスプレイは、所望の画像を得るように選択された波形を用いてディスプレイにおける画素を駆動することにより制御される。
【００４９】
本発明が、改善された階調精度のために、非常に多くの階調を生成することを可能にすることを示した。１６階調レベルを有する４ビット階調は、多くの双安定装置で評価を呼ぶことが予測される。１６階調レベルを得る能力はまた、マルチカラーの電気泳動ディスプレイを達成するために重要である。
【００５０】
上記の実施例においては、パルス幅変調（ＰＷＭ）駆動が本発明を示すために用いられ、パルス時間は各々の波形で変化する一方、電圧振幅は一定に保たれることに留意されたい。しかしながら、本発明はまた、例えば、電圧変調駆動（ＶＷ）に基づく他の駆動スキームに適用可能であり、パルス電圧振幅は各々の波形で変化される又はＰＷＭ及びＶＭ駆動が結合される。本発明は、カラー及び階調双安定ディスプレイに適用可能である。また、電極構造は限定されない。例えば、上部／下部電極構造、ハニカム構造、面内スイッチング構造又は面内スイッチングと垂直方向スイッチングの他の結合を用いることが可能である。更に、本発明は、受動マトリクス及び能動マトリクス電気泳動ディスプレイにおいて実施されることが可能である。実際には、本発明は、画像更新後にディスプレイに画像が実質的に残っている間に電力を消費しない何れの双安定ディスプレイにおいて実施されることが可能である。また、本発明を、例えば、タイプライターモードを有する単一ウィンドウディスプレイ及びマルチウィンドウディスプレイの両者に適用することが可能である。
【００５１】
本発明の好適な実施形態であるとみなされるものについて、上記のように、図を用いて詳述したが、勿論、本発明の範囲から逸脱することなく、種々の修正及び変形を形式的に又は詳細に容易に実施することが可能であることを理解することができるであろう。それ故、本発明は、図を用いて示して上記した実施形態にまさに限定されるものではなく、特許請求の範囲に網羅される全ての修正をカバーするとみなされなければならない。
【図面の簡単な説明】
【００５２】
【図１】電子読書装置のディスプレイスクリーンの一部の実施の平面図である。
【図２】図２の２−２線に沿った断面図である。
【図３】電子読書装置の概観を示す図である。
【図４】それぞれの表示領域を有する２つのディスプレイスクリーンを示す図である。
【図５ａ】レール安定化駆動を用いる、濃い灰色（ＤＧ）から薄い灰色（ＬＧ）への画像遷移についての第１シェーキングパルスを有する例示としての波形を示す図である。
【図５ｂ】レール安定化駆動を用いる、濃い灰色（ＤＧ）から薄い灰色（ＬＧ）への画像遷移についての第１及び第２シェーキングパルスを有する例示としての波形を示す図である。
【図６】濃い灰色から薄い灰色への画像遷移についての例示としての波形であって、前の状態は黒色、濃い灰色、薄い灰色又は白色である、波形を示す図である。
【図７】黒色から白色への画像遷移についての例示としての波形であって、前の状態は黒色、濃い灰色、薄い灰色又は白色である、波形を示す図である。
【図８ａ】画像履歴が明らかでないときの階調レベル精度を表すヒストグラムを示す図である。
【図８ｂ】画像履歴が明らかであるときの階調レベル精度を表すヒストグラムを示す図である。
【図９】画像メモリ及び対応するデータ処理を有するディスプレイ制御器の例示としての模式図である。
【図１】
2007531000.tif 000003
【図２】
2007531000.tif 000004
【図３】
2007531000.tif 000005
【図４】
2007531000.tif 000006
【図５Ａ】
2007531000.tif 000007
【図５Ｂ】
2007531000.tif 000008
【図６】
2007531000.tif 000009
【図７】
2007531000.tif 000010
【図８Ａ】
2007531000.tif 000011
【図８Ｂ】
2007531000.tif 000012
【図９】
2007531000.tif 000013
【国際調査報告】
2007531000.tif 000014
2007531000.tif 000015